(57)【特許請求の範囲】
【請求項１】
ケーブル・配管類のケーブル長手方向に沿って延在する帯状基部と該帯状基部の左右両側縁に沿って一体に連続成形されてケーブル・配管類をケーブル長手方向に沿って対向間隙を持つ左右両側から抱持する左抱持部と右抱持部とで囲繞されたチューブ状のケーブル収容空間内にケーブル・配管類を配置するとともに前記ケーブル・配管類をＵ字状に屈曲させながら保護案内する合成樹脂製ケーブル・配管類保護案内部材と、前記左抱持部および右抱持部がケーブル収容空間をケーブル長手方向と直交する方向に切断するような切り込み部分を介した状態でケーブル長手方向に配置された前記ケーブル・配管類保護案内部材の端部に着脱自在に係止する保護案内側係止部と、前記ケーブル・配管類を接続する機械フレーム側に着脱自在に取り付ける機械フレーム側固定部とを一体に備えたケーブル・配管類保護案内部材用取り付けブラケットであって、
前記保護案内側係止部が、前記ケーブル・配管類保護案内部材の端部に挿入配置してケーブル長手方向に隣接した左抱持部と右抱持部の相互間に差し込んだ状態で係止される抜け止め用係止爪を備えているとともに前記保護案内側係止部が、前記ケーブル・配管類の直線姿勢を保持した状態で前記左抱持部と右抱持部の間に配置されてケーブル収容空間の内側に膨らんだアーチ状曲面を形成している帯状基部に対面して配置され、
前記機械フレーム側固定部が、前記ケーブル・配管類保護案内部材のケーブル収容空間内から突出して機械フレーム側の取り付け面にネジ止めするネジ穴を備えていることを特徴とするケーブル・配管類保護案内用取り付けブラケット。
【請求項２】
前記機械フレーム側固定部が、前記保護案内側係止部より帯状基部の厚み分だけ合成樹脂製ケーブル・配管類保護案内部材の屈曲内周側に向けて肉厚に成形されていることを特徴とする請求項１に記載のケーブル・配管類保護案内部材用取り付けブラケット。
【請求項３】
前記保護案内側係止部が、前記機械フレーム側固定部との間に形成された段差状の位置決め当接面を介して前記合成樹脂製ケーブル・配管類保護案内部材の端部に位置決めされることを特徴とする請求項１または請求項２に記載のケーブル・配管類保護案内部材用取り付けブラケット。
【発明の詳細な説明】
【技術分野】
【０００１】
本発明は、固定エネルギー源を備えた機械側固定フレームに連結した一端から機械側可動フレームに連結した他端に向けてエネルギを供給するのに用いられるケーブル、ホースなどのケーブル・配管類をＵ字状に屈曲させながら保護案内する合成樹脂製ケーブル・配管類保護案内部材を、これらの機械側固定フレームと機械側可動フレームとに着脱自在に取り付けるケーブル・配管類保護案内部材用取り付けブラケットに関するものである。
【背景技術】
【０００２】
従来のケーブル・配管類保護案内部材として、合成樹脂製の扁平な構造の一片として射出成形するとともに曲げ可能なブリッジにより相互に結合されるセグメントから構成された折り畳み可能なケーブル保護要素部材が知られている(例えば、特許文献１参照)。
【先行技術文献】
【特許文献】
【０００３】
【特許文献１】特表２００１−５１４７２５号公報（特許請求の範囲、図１−図３）
【発明の概要】
【発明が解決しようとする課題】
【０００４】
しかしながら、従来のようなケーブル保護要素部材は、合成樹脂製の扁平な構造の一片として射出成形されているため、射出成形されたセグメントを1個ずつ折り畳んで組み付けなければならないという組み立て製造上の厄介な問題があるばかりでなく、機械側固定フレームおよび機械側可動フレームに着脱自在に取り付ける際に、折り畳んで組み付けたケーブル保護要素部材が複雑な構造を備えているため、機械フレーム側に取り付けるための取り付け金具も複雑な構造になり、その設置作業に多大の手間を必要とするにもかかわらず取り付け形態も不安定で外れ易いという機械フレーム側への設置上の厄介な問題があった。
【０００５】
そこで、本発明は、従来のような問題を解決するものであって、すなわち、本発明の目的は、ブラケット構造を簡素化して合成樹脂製ケーブル・配管類保護案内部材に適するようにブラケット構造を簡素化し、さらに機械フレーム側への取り付け作業を簡便にして、かつ外れにくいケーブル・配管類保護案内部材用取り付けブラケットを提供することである。
【課題を解決するための手段】
【０００６】
まず、請求項１に係る本発明は、ケーブル・配管類のケーブル長手方向に沿って延在する帯状基部と該帯状基部の左右両側縁に沿って一体に連続成形されてケーブル・配管類をケーブル長手方向に沿って対向間隙を持つ左右両側から抱持する左抱持部と右抱持部とで囲繞されたチューブ状のケーブル収容空間内にケーブル・配管類を配置するとともに前記ケーブル・配管類をＵ字状に屈曲させながら保護案内する合成樹脂製ケーブル・配管類保護案内部材と、前記左抱持部および右抱持部がケーブル収容空間をケーブル長手方向と直交する方向に切断するような切り込み部分を介した状態でケーブル長手方向に配置された前記ケーブル・配管類保護案内部材の端部に着脱自在に係止する保護案内側係止部と、前記ケーブル・配管類を接続する機械フレーム側に着脱自在に取り付ける機械フレーム側固定部とを一体に備えたケーブル・配管類保護案内部材用取り付けブラケットであって、前記保護案内側係止部が、前記ケーブル・配管類保護案内部材の端部に挿入配置してケーブル長手方向に隣接した左抱持部と右抱持部の相互間に差し込んだ状態で係止される抜け止め用係止爪を備えているとともに前記保護案内側係止部が、前記ケーブル・配管類の直線姿勢を保持した状態で前記左抱持部と右抱持部の間に配置されてケーブル収容空間の内側に膨らんだアーチ状曲面を形成している帯状基部に対面して配置され、前記機械フレーム側固定部が、前記ケーブル・配管類保護案内部材のケーブル収容空間内から突出して機械フレーム側の取り付け面にネジ止めするネジ穴を備えていることにより、前述した課題を解決したものである。
【０００７】
また、請求項２に係る発明のケーブル・配管類保護案内部材用取り付けブラケットは、請求項１記載の構成に加えて、前記機械フレーム側固定部が、前記保護案内側係止部より帯状基部の厚み分だけ合成樹脂製ケーブル・配管類保護案内部材の屈曲内周側に向けて肉厚に成形されていることにより、前述した課題をさらに解決したものである。
【０００８】
また、請求項３に係る発明のケーブル・配管類保護案内部材用取り付けブラケットは、請求項１または請求項２記載の構成に加えて、前記保護案内側係止部が、前記機械フレーム側固定部との間に形成された段差状の位置決め当接面を介して前記合成樹脂製ケーブル・配管類保護案内部材の端部に位置決めされることにより、前述した課題をさらに解決したものである。
【発明の効果】
【０００９】
まず、請求項１に係るケーブル・配管類保護案内部材用取り付けブラケットによれば、ケーブル・配管類のケーブル長手方向に沿って延在する帯状基部とこの帯状基部の左右両側縁に沿って一体に連続成形されてケーブル・配管類をケーブル長手方向に沿って対向間隙を持つ左右両側から抱持する左抱持部と右抱持部とで囲繞されたチューブ状のケーブル収容空間内にケーブル・配管類を配置するとともにケーブル・配管類をＵ字状に屈曲させながら保護案内する合成樹脂製ケーブル・配管類保護案内部材であり、左抱持部および右抱持部がケーブル収容空間をケーブル長手方向と直交する方向に切断するような切り込み部分を介した状態でケーブル長手方向に配置されたケーブル・配管類保護案内部材の端部に着脱自在に係止する保護案内側係止部と、ケーブル・配管類を接続する機械フレーム側に着脱自在に取り付ける機械フレーム側固定部とを一体に備えていること、そして、保護案内側係止部がケーブル・配管類保護案内部材の端部に挿入配置してケーブル長手方向に隣接した左抱持部と右抱持部の相互間に差し込んだ状態で係止される抜け止め用係止爪を備えていることにより、ケーブル・配管類保護案内部材用取り付けブラケットの一方端に設けた保護案内側係止部の先端に設けた左右一対の抜け止め用係止爪を合成樹脂製ケーブル・配管類保護案内部材の切り込み部分に挿入し係止した状態でケーブル・配管類保護案内装置用取り付けブラケットの他方端に一体に設けた機械フレーム側固定部を機械フレーム側に取り付けるか、あるいは、ケーブル・配管類保護案内部材用取り付けブラケットの一方端に設けた機械フレーム固定部を機械フレーム側に取り付けた状態でケーブル・配管類保護案内装置用取り付けブラケットの他方端に一体に設けた保護案内側係止部の先端に設けた左右一対の抜け止め用係止爪を合成樹脂製ケーブル・配管類保護案内部材の切り込み部分に挿入し係止することが可能となるため、ブラケット構造を簡素化することができ、合成樹脂製ケーブル・配管類保護案内部材を機械フレーム側に着脱する際の取り付け作業を簡便に達成することができる。
【００１０】
また、保護案内側係止部がケーブル・配管類の直線姿勢を保持した状態で左抱持部と右抱持部の間に配置されてケーブル収容空間の内側に膨らんだアーチ状曲面を形成している帯状基部に対面して配置されることにより、保護案内係止部と機械フレームとの間に帯状基部が挟まれることとなり、帯状基部のアーチ状曲面が平坦化して、それに伴い左抱持部と右抱持部が中央に寄り対向間隙が小さくなることでブラケットを固定する取り外し口を塞ぐため、ブラケットが外れることを防止することができる。
【００１１】
さらに、機械フレーム側固定部がケーブル・配管類保護案内部材のケーブル収容空間内から突出して機械フレーム側の取り付け面にネジ止めするネジ穴を備えていることにより、保護案内側係止部の抜け止め用係止爪が差し込まれた合成樹脂製ケーブル・配管類保護案内部材の特徴的な端部形状を利用して係止し、機械フレーム側の取り付け面に対してネジ止めすることが可能になるため、ケーブル・配管類保護案内部材用取り付けブラケットのブラケット構造を簡素化することができるとともにその組み付け作業も簡便に達成することができる。
【００１２】
また、請求項２に係るケーブル・配管類保護案内部材用取り付けブラケットによれば、請求項１に記載のケーブル・配管類保護案内部材用取り付けブラケットが奏する効果に加えて、機械フレーム側固定部が保護案内側係止部より帯状基部の厚み分だけ合成樹脂製ケーブル・配管類保護案内部材の屈曲内周側に向けて肉厚に成形されていることにより、ケーブル・配管類保護案内部材用取り付けブラケットの機械フレーム側固定部が機械フレーム側の取り付け面に対して浮き上がることなく面一状態で取り付けられるため、ケーブル・配管類保護案内部材用取り付けブラケットの保護案内側係止部を帯状基部のケーブル収容空間側に対して変形させることなく全面的に密着させた状態で取り付けることができる。
【００１３】
また、請求項３に係るケーブル・配管類保護案内部材用取り付けブラケットによれば、請求項１又は請求項２に記載のケーブル・配管類保護案内部材用取り付けブラケットが奏する効果に加えて、保護案内側係止部が機械フレーム側固定部との間に形成された段差状の位置決め当接面を介して合成樹脂製ケーブル・配管類保護案内部材の端部に位置決めされることにより、合成樹脂製ケーブル・配管類保護案内部材の端部とケーブル・配管類保護案内部材用取り付けブラケットの位置決め当接面との間の遊びを無くしてケーブル長手方向の緩みを阻止するため、合成樹脂製ケーブル・配管類保護案内部材に発生しがちな蛇行移動を阻止するとともにケーブル・配管類保護案内部材用取り付けブラケットを機械フレーム側の取り付け面に対して確実かつ強固に取り付けることができる。
【図面の簡単な説明】
【００１４】
【図１】本発明であるケーブル・配管類保護案内部材用取り付けブラケットの使用態様図。
【図２】本発明を用いる合成樹脂製ケーブル・配管類保護案内部材の全体斜視図。
【図３】本発明を用いる合成樹脂製ケーブル・配管類保護案内部材の直線姿勢領域の拡大斜視図。
【図４】本発明を用いる合成樹脂製ケーブル・配管類保護案内部材の屈曲姿勢領域の拡大斜視図。
【図５】本発明を用いる合成樹脂製ケーブル・配管類保護案内部材の側面図。
【図６】図５のＡ―Ａ断面における合成樹脂製ケーブル・配管類保護案内部材の断面図。
【図７】図５のＢ―Ｂ断面における合成樹脂製ケーブル・配管類保護案内部材の断面図。
【図８】図５のＣ―Ｃ断面における合成樹脂製ケーブル・配管類保護案内部材の断面図。
【図９】本発明であるケーブル・配管類保護案内部材用取り付けブラケットの拡大斜視図。
【図１０】図５のＤ−Ｄ断面における取り付け直前の断面図。
【図１１】図５のＤ−Ｄ断面における取り付け直後の断面図。
【発明を実施するための形態】
【００１５】
本発明は、ケーブル・配管類のケーブル長手方向に沿って延在する帯状基部と該帯状基部の左右両側縁に沿って一体に連続成形されてケーブル・配管類をケーブル長手方向に沿って対向間隙を持つ左右両側から抱持する左抱持部と右抱持部とで囲繞されたチューブ状のケーブル収容空間内にケーブル・配管類を配置するとともに前記ケーブル・配管類をＵ字状に屈曲させながら保護案内する合成樹脂製ケーブル・配管類保護案内部材の端部に着脱自在に係止する保護案内側係止部と、ケーブルを接続する機械フレーム側に着脱自在に取り付ける機械フレーム側固定部とを一体に備えたケーブル・配管類保護案内部材用取り付けブラケットであって、保護案内側係止部が合成樹脂製ケーブル・配管類保護案内部材の端部に挿入配置してケーブル長手方向に隣接した左抱持部と右抱持部の相互間に差し込んだ状態で係止される抜け止め用係止爪を備えているとともに、機械フレーム側固定部が合成樹脂製ケーブル・配管類保護案内部材のケーブル収容空間内から突出して機械フレーム側の取り付け面にネジ止めするネジ穴を備え、ブラケット構造を簡素化して合成樹脂製ケーブル・配管類保護案内部材を機械フレーム側へ緩みなく密着させる取り付け作業を簡便かつ確実に達成し、合成樹脂製ケーブル・配管類保護案内部材の屈曲動作で発生しがちな機械フレーム側との間の振動騒音を吸収するものであれば、その具体的な実施の形態は、如何なるものであっても何ら構わない。
【００１６】
まず、本発明のケーブル・配管類保護案内部材用取り付けブラケットにより取り付ける合成樹脂製ケーブル・配管類保護案内部材の具体的な使用態様については、固定エネルギー源を備えた機械側固定フレームに連結した一端からこの機械側固定フレームに沿って平行移動する機械側可動フレームに連結した他端に向けてケーブル、ホースなどのケーブル・配管類をＵ字状に屈曲させながら保護案内する使用状況下であれば、工作機械、生産機械、動力伝達機械、測定機械、物流機械、ロボットと称する各種機械などの如何なる使用態様であっても、何ら差し支えない。
【００１７】
本発明のケーブル・配管類保護案内部材用取り付けブラケットにより取り付ける合成樹脂製ケーブル・配管類保護案内部材の具体的なＵ字状の屈曲形態については、機械側固定フレームに連結した一端からこの機械側固定フレームに沿って平行移動する機械側可動フレームに連結した他端に向けて配置された垂直面内や水平面内で屈曲させて良く、あるいは、３次元的空間で屈曲させるものであっても良い。
【００１８】
なお、上述した合成樹脂製ケーブル・配管類保護案内部材に用いる具体的な材質については、ケーブル・配管類を保持するとともに、押し出し成形加工が施し易い機械的強度や成形精度に優れた合成樹脂の材質であれば、ポリエチレンやポリプロピレンなどのポリオレフィン系樹脂、ポリアミド系樹脂、ポリエステル系樹脂、ポリアクリル系樹脂、ポリアセタール系樹脂、ポリ塩化ビニル系樹脂、ポリスチレン系樹脂などのいずれであっても良い。
【００１９】
さらに、合成樹脂製ケーブル・配管類保護案内部材に成形される矩形チューブ状のケーブル収容空間の具体的形態については、ケーブル・配管類のケーブル長手方向に沿って延在する帯状基部とこの帯状基部の左右両側縁に沿って一体に連続成形されてケーブル・配管類をケーブル長手方向に沿って対向間隙を持つ左右両側から抱持する左抱持部と右抱持部とで囲繞されたチューブ状のケーブル収容空間内にケーブル・配管類を配置するとともに前記ケーブル・配管類をＵ字状に屈曲させながら保護案内するものであれば、如何なる具体的な形態であっても良い。
【００２０】
他方、本発明のケーブル・配管類保護案内部材用取り付けブラケットの具体的な形態については、合成樹脂製ケーブル・配管類保護案内部材の端部に挿入配置されて合成樹脂製ケーブル・配管類保護案内部材の端部に着脱自在に係止する保護案内側係止部がケーブル長手方向に隣接した左抱持部と右抱持部の相互間に差し込まれて係止される抜け止め用係止爪を備えているとともに合成樹脂製ケーブル・配管類保護案内部材のケーブル収容空間内から突出してケーブル・配管類を接続する機械フレーム側に着脱自在に取り付ける機械フレーム側固定部が機械フレーム側の取り付け面にネジ止めするネジ穴を備えているものであれば、如何なる形態を備えたものであっても良く、たとえば、左抱持部と右抱持部の相互間に差し込まれて係止される抜け止め用係止爪が、保護案内側係止部の左右両側に複数配置されて抜け止め機能をさらに向上させたもの、あるいは、機械フレーム側の取り付け面にネジ止めするネジ穴が、機械フレーム側固定部のケーブル長手方向、あるいは、幅方向の複数箇所に設けられていても良い。
【００２１】
また、本発明のケーブル・配管類保護案内部材用取り付けブラケットの具体的な素材については、金属製のもの、あるいは、合成樹脂製のものの、いずれであっても良い。
【実施例】
【００２２】
本発明の実施例であるケーブル・配管類保護案内部材用取り付けブラケット（以下、「取り付けブラケット」という。）について、図面に基づいて説明する。
ここで、図１は、本発明の実施例である本発明であるケーブル・配管類保護案内部材用取り付けブラケットの使用態様図であり、図２は、本発明を用いる合成樹脂製ケーブル・配管類保護案内部材の全体斜視図であり、図３は、本発明を用いる合成樹脂製ケーブル・配管類保護案内部材の直線姿勢領域の拡大斜視図であり、図４は、本発明を用いる合成樹脂製ケーブル・配管類保護案内部材の屈曲姿勢領域の拡大斜視図であり、図５は、本発明を用いる合成樹脂製ケーブル・配管類保護案内部材の側面図であり、図６は、図５のＡ―Ａ断面における合成樹脂製ケーブル・配管類保護案内部材の断面図であり、図７は、図５のＢ―Ｂ断面における合成樹脂製ケーブル・配管類保護案内部材の断面図であり、図８は、図５のＣ―Ｃ断面における合成樹脂製ケーブル・配管類保護案内部材の断面図であり、図９は、本発明であるケーブル・配管類保護案内部材用取り付けブラケットの拡大斜視図であり、図１０は、図５のＤ−Ｄ断面におけるケーブル・配管類保護案内部材用取り付けブラケットの取り付け直前の断面図であり、図１１は、図５のＤ−Ｄ断面におけるケーブル・配管類保護案内部材用取り付けブラケットの取り付け直後の断面図である。
【００２３】
まず、本発明の実施例である取り付けブラケット１００を説明するに先立って、本実施例の取り付けブラケット１００を用いて着脱自在に取り付ける合成樹脂製ケーブル・配管類保護案内部材２００について、具体的に説明する。
そこで、前述した合成樹脂製ケーブル・配管類保護案内部材２００は、図１に示すように、直動ロボットと称する直線移動装置Ｍにおいてボールねじ駆動方式のアクチュエータを内蔵した機械側固定フレームである固定フレームＭ１側から機械側可動フレームである移動体Ｍ２側へ電力供給および信号送信を行うケーブル・配管類Ｃを保護案内するために使用されるものである。
すなわち、図１に示すように、固定フレームＭ１に連結した一端２００ａからこの固定フレームＭ１に沿って平行移動する移動体Ｍ２に連結した他端２００ｂに向けてケーブル・配管類Ｃを垂直面内でＵ字状に屈曲させながら保護案内している。
なお、図１における符号Ｍ３は、固定フレームＭ１に連設された駆動モータの設置フレームであり、符号Ｍ４は、固定フレームＭ１に対して移動体Ｍ２を直線作動させるためのボールねじ駆動方式のアクチュエータであり、矢印は、移動体Ｍ２が直線移動する方向である。
【００２４】
そこで、前述した合成樹脂製ケーブル・配管類保護案内部材２００について、その具体的な構造を図２乃至図８に基づいて詳しく説明する。
なお、図２、図３、図５に示す符号１００は、合成樹脂製ケーブル・配管類保護案内部材２００に取り付けられる本発明の取り付けブラケットであるが、その説明は、詳しい後述に委ねる。
本実施例の合成樹脂製ケーブル・配管類保護案内部材２００は、ケーブル・配管類Ｃのケーブル長手方向に沿って延在する帯状基部２１０とこの帯状基部２１０の左右両側縁に沿って一体に連続成形されてケーブル・配管類Ｃをケーブル長手方向に沿って対向間隙Ｓを持つ左右両側から抱持する左抱持部２２０ａおよび右抱持部２２０ｂとで囲繞された合成樹脂でチューブ状のケーブル収容空間Ｒを構成し、このチューブ状のケーブル収容空間Ｒ内にケーブル・配管類Ｃを左右両側に配置された左抱持部２２０ａと右抱持部２２０ｂとの間の対向間隙Ｓから収容するとともに、帯状基部２１０の一端とこの一端を連結した固定フレームＭ１に対して相対移動する移動体Ｍ２に連結した帯状基部２１０の他端との間の垂直面内でケーブル・配管類ＣをＵ字状に屈曲させながら保護案内するようになっている。
【００２５】
加えて、前述した帯状基部２１０と左抱持部２２０ａと右抱持部２２０ｂは、押し出し成形加工により矩形チューブ状のケーブル収容空間Ｒを構成するように形成された後に、この矩形チューブ状のケーブル収容空間Ｒをケーブル長手方向と直交する方向に切断するように所定の間隔で切り込むことで成形されている。
これにより、帯状基部１１０と左抱持部１２０ａおよび右抱持部１２０ｂとを組み付ける作業負担が解消されるため、いかなる長尺なケーブル収容空間Ｒを要する現場施工であってもケーブル・配管類Ｃのケーブル長さに応じた裁断のみで最適な長尺体を簡便に構成するとともに、押し出し成形加工によって帯状基部１１０におけるケーブル長手方向の分子配向度が高くなるため、ケーブル長手方向の疲労強度が大幅に向上して優れた耐久性を発揮している。
また、押し出し成形加工時に、帯状基部２１０、左抱持部２２０ａおよび右抱持部２２０ｂの厚みや材質が変更可能になるため、収容するケーブル・配管類Ｃに応じてケーブル収容空間Ｒを造作するチューブ状の収容形態やケーブル・配管類Ｃを保護案内する軌道形態を簡便に変更することが可能になっている。
しかも、前述したように、帯状基部２１０と左抱持部２２０ａおよび右抱持部２２０ｂとが、合成樹脂から成形され、押し出し成形加工や引き抜き加工などの一体の連続加工が可能であり、ケーブル収容空間Ｒの形態安定性を充分に発揮している。
【００２６】
そして、ケーブル保護案内部材２００の帯状基部２１０は、図６におよび図８に示すように、ケーブル・配管類Ｃの直線姿勢を保持した状態で左抱持部２２０ａと右抱持部２２０ｂとの間に配置されてケーブル収容空間Ｒの内側へ膨らんだアーチ状曲面を形成している。
これにより、ケーブル・配管類Ｃを直線移動させる際にアーチ状曲面を呈する帯状基部２１０が、この帯状基部２１０の壁厚とアーチ状曲面の形態とに起因する剛性を発揮しながらケーブル長手方向に一直線状となってケーブル・配管類Ｃの重量を支える。
【００２７】
また、図７に示すように、ケーブル・配管類Ｃを屈曲移動させる際に、帯状基部２１０のアーチ状曲面が弾性変形して平坦化する作用を伴い、帯状基部２１０の左右両側縁に沿って一体に連続成形された左抱持部２２０ａおよび右抱持部２２０ｂが、対向間隙Ｓに向かって相互に傾いて対向間隙Ｓを塞ぎ込むようになっている。もし、帯状基部２１０がケーブル収容空間Ｒの外側に膨らんだアーチ状曲面を形成した場合には、逆に左抱持部２２０ａと右抱持部２２０ｂとの間の対向間隙Ｓが大きくなるために逆にケーブル・配管類Ｃの飛び出しが発生し易くなる。
【００２８】
また、帯状基部２１０に一体に連続成形された左抱持部２２０ａおよび右抱持部２２０ｂは、帯状基部２１０の左右両側縁に沿ってそれぞれ配置され、ケーブル・配管類Ｃがケーブル収容空間Ｒ内に抱持されるように構成されている。  
これにより、左抱持部２２０ａおよび右抱持部２２０ｂが、帯状基部２１０と一体化してチューブ状のケーブル収容空間Ｒを確実に造形するため、ケーブル・配管類Ｃをケーブル収容空間Ｒ内でケーブル長手方向に沿って抱持状態で確実に収容している。
【００２９】
そして、左抱持部２２０ａおよび右抱持部２２０ｂは、図６乃至図８に示すように、帯状基部２１０に連続して立設した側壁形成部分２２１とこの側壁形成部分２２１に折曲して連続で取り付けた抱持壁形成部分２２２とで構成されている。
これにより、帯状基部２１０とこれに連続する左抱持部２２０ａおよび右抱持部２２０ｂの側壁形成部分２２１とでケーブル・配管類Ｃの屈曲姿勢を柔軟に形作るとともに左抱持部２２０ａおよび右抱持部２２０ｂの抱持壁形成部分２２２でケーブル収容空間Ｒに収容したケーブル・配管類Ｃを確実に保持するため、ケーブル・配管類保護案内部材２００を弾力的に屈曲させながらケーブル・配管類Ｃを保護案内している。
【００３０】
また、左抱持部２２０ａおよび右抱持部２２０ｂの抱持壁形成部分２２２は、図６および図８に示すように、左抱持部２２０ａおよび右抱持部２２０ｂの側壁形成部分２２１に対してケーブル収容空間Ｒ側へ直角よりも僅かに鋭角に折曲した状態で形成されている。
これにより、対向する左右一対の抱持壁形成部分２２２、２２２が、ケーブル・配管類Ｃを屈曲移動させる際に帯状基部２１０のアーチ状曲面が弾性変形して平坦化すると、ケーブル収容空間Ｒから左抱持部２２０ａと右抱持部２２０ｂとの間の対向間隙Ｓを介して飛び出そうとするケーブル・配管類Ｃを、左抱持部２２０ａおよび右抱持部２２０ｂと帯状基部２１０とでケーブル・配管類Ｃを包むように内蔵して抱えて、ケーブル・配管類Ｃが左抱持部２２０ａと右抱持部２２０ｂとの間の対向間隙Ｓの方に移動しがたくなるため、ケーブル・配管類Ｃの不用意な飛び出しを完全に阻止している。
【００３１】
また、左抱持部２２０ａおよび右抱持部２２０ｂは、図３乃至図５に示すように、帯状基部２１０の左右両側縁に沿って同形状かつ等間隔で配置されている。
これにより、ケーブル収容空間Ｒが、単一の曲率半径を確保しながら順次屈曲して移動していくため、ケーブル・配管類ＣをＵ字状に屈曲させながら安定して保護案内している。
また、左抱持部２２０ａおよび右抱持部２２０ｂは、図３に示すように、帯状基部２１０の左右両側縁に沿って相互に隣接して配置されている。
要するに、相互に隣接した左抱持部２２０ａおよび右抱持部２２０ｂ同士が、ケーブル収容空間Ｒをケーブル長手方向と直交する方向に切断するような切り込み部分２２３を介した状態で配置されている。
【００３２】
また、上述した切り込み部分２２３は、その根元が帯状基部２１０まで切り込まれたＲ状切り込み終端を呈し、ケーブル・配管類保護案内部材２００が屈曲する際の曲率半径を小さくすることができるため、ケーブル・配管類保護案内部材２００の省スペース化が可能となる。
【００３３】
そこで、上述した合成樹脂製ケーブル・配管類保護案内部材２００を移動体Ｍ２側となる機械側可動フレームに取り付ける場合を一例として、本発明の一実施例である取り付けブラケット１００について、以下に、図９乃至図１１に基づいて詳しく説明する。
すなわち、本実施例の取り付けブラケット１００は、図９に示すように、合成樹脂からなり、合成樹脂製ケーブル・配管類保護案内部材２００の端部２００ｂに着脱自在に係止する保護案内側係止部１１０と、ケーブルＣを接続する可動体Ｍ２に着脱自在に取り付ける機械フレーム側固定部１２０とを一体に備えている。
【００３４】
これにより、本実施例の取り付けブラケット１００の一方端に設けた保護案内側係止部１１０を、たとえば、合成樹脂製ケーブル・配管類保護案内部材２００の端部２００ｂに係止した状態で取り付けブラケット１００の他方端に一体に設けた機械フレーム側固定部１２０を機械側可動フレームである移動体Ｍ２側に取り付けるか、あるいは、取り付けブラケット１００の一方端に設けた機械フレーム側固定部１２０を移動体Ｍ２側に取り付けた状態で取り付けブラケット１００の他方端に一体に設けた保護案内側係止部１１０を合成樹脂製ケーブル・配管類保護案内部材２００の端部２００ｂに係止することが可能になっている。
【００３５】
そして、前述した取り付けブラケット１００の保護案内側係止部１１０は、図９に示すように、合成樹脂製ケーブル・配管類保護案内部材２００の端部２００ｂに挿入配置してケーブル長手方向に隣接した左抱持部２２０ａと右抱持部２２０ｂの相互間に差し込んだ状態で係止される左右一対の抜け止め用係止爪１１１、１１１を備えている。
他方、前述した機械フレーム側固定部１２０は、合成樹脂製ケーブル・配管類保護案内部材２００のケーブル収容空間Ｒ内から突出して前述した移動体Ｍ２側の取り付け面にネジ止めするケーブル長手方向に前後一対のネジ穴１２１、１２１を備えている。
これにより、保護案内側係止部１１０に設けた左右一対の抜け止め用係止爪１１１、１１１が、ケーブル収容空間Ｒ内に差し込まれた合成樹脂製ケーブル・配管類保護案内部材２００の特異な端部形態、すなわち、相互に隣接した左抱持部２２０ａと右抱持部２２０ｂ同士の間に形成された左右一対の僅かな切り込み部分２２３を利用して係止され、機械フレーム側固定部１２０に設けた前後一対のネジ穴１２１、１２１から汎用のねじを用いて移動体Ｍ２側の取り付け面に対してネジ止めすることが可能になっている。
【００３６】
また、前述した取り付けブラケット１００の保護案内側係止部１１０は、ケーブル・配管類Ｃの直線姿勢を保持した状態で左抱持部２２０ａと右抱持部２２０ｂの左右両側に跨がってケーブル収容空間Ｒ内へ膨らんだアーチ状曲面を形成するとともにケーブル・配管類Ｃを保持した屈曲姿勢に応じて弾性変形して平坦面化する帯状基部２１０のケーブル収容空間Ｒ側に対面配置される平坦面を備えている。
これにより、この帯状基部２１０が、図１０乃至図１１に示すように、保護案内側係止部１１０と移動体Ｍ２側の取り付け面との間で弾力性を発揮するようになっている。
【００３７】
また、前述した取り付けブラケット１００の機械フレーム側固定部１２０は、図９に示すように、保護案内側係止部１１０より帯状基部２１０の厚み分ｔだけ合成樹脂製ケーブル・配管類保護案内部材２００の屈曲内周側に向けて肉厚に成形されている。
これにより、この機械フレーム側固定部１２０が、移動体Ｍ２側の取り付け面に対して浮き上がることなく面一状態で取り付け可能になっている。
【００３８】
また、取り付けブラケット１００の保護案内側係止部１１０は、機械フレーム側固定部１２０との間に形成された段差状の位置決め当接面１３０を介して合成樹脂製ケーブル・配管類保護案内部材２００の端部２００ｂに位置決めされる。
これにより、合成樹脂製ケーブル・配管類保護案内部材２００の端部２００ｂと取り付けブラケット１００の位置決め当接面１３０との間の遊びを無くしてケーブル長手方向の緩みを阻止することが可能になっている。
【００３９】
このようにして得られた本実施例の取り付けブラケット１００は、合成樹脂製ケーブル・配管類保護案内部材２００の端部２００ｂに着脱自在に係止する保護案内側係止部１１０とケーブルＣを接続する移動体Ｍ２側に着脱自在に取り付ける機械フレーム側固定部１２０とを一体に備え、保護案内側係止部１１０が合成樹脂製ケーブル・配管類保護案内部材２００の端部２００ｂに挿入配置してケーブル長手方向に隣接した左抱持部２２０ａと右抱持部２２０ｂの相互間に差し込んだ状態で係止される左右一対の抜け止め用係止爪１１１、１１１を備えているとともに、機械フレーム側固定部１２０が合成樹脂製ケーブル・配管類保護案内部材２００のケーブル収容空間Ｒ内から突出して移動体Ｍ２側の取り付け面にネジ止めする前後一対のネジ穴１２１、１２１を備えていることにより、取り付けブラケット１００のブラケット構造を簡素化してその取り扱いも簡便に達成するとともに合成樹脂製ケーブル・配管類保護案内部材２００を移動体Ｍ２側に着脱する際の取り付け作業を簡便に達成することができる。
【００４０】
また、取り付けブラケット１００の保護案内側係止部１１０が、ケーブル・配管類Ｃの直線姿勢を保持した状態で左抱持部２２０ａと右抱持部２２０ｂの左右両側に跨がってケーブル収容空間Ｒ内へ膨らんだアーチ状曲面を形成するとともにケーブル・配管類Ｃを保持した屈曲姿勢に応じて弾性変形して平坦面化する帯状基部２１０に対面して配置されることにより、取り付けブラケット１００の保護案内側係止部１１０を移動体Ｍ２側の取り付け面に対して緩みなく密着した状態で取り付けるとともに合成樹脂製ケーブル・配管類保護案内部材２００の屈曲動作で発生しがちな移動体Ｍ２側との間の振動騒音を吸収することができる。
【００４１】
また、取り付けブラケット１００の機械フレーム側固定部１２０が、保護案内側係止部１１０より帯状基部２１０の厚み分ｔだけ合成樹脂製ケーブル・配管類保護案内部材２００の屈曲内周側に向けて肉厚に成形されていることにより、取り付けブラケット１００の保護案内側係止部１１０を帯状基部２１０のケーブル収容空間Ｒ側に対して変形させることなく全面的に密着させた状態で取り付けることができる。
【００４２】
また、取り付けブラケット１００の保護案内側係止部１１０が、機械フレーム側固定部１２０との間に形成された段差状の位置決め当接面１３０を介して合成樹脂製ケーブル・配管類保護案内部材２００の端部２００ｂに位置決めされることにより、合成樹脂製ケーブル・配管類保護案内部材２００に発生しがちな蛇行移動を阻止するとともに取り付けブラケット１００を移動体Ｍ２側の取り付け面に対して確実かつ強固に取り付けることができる等、その効果は、甚大である。
【符号の説明】
【００４３】
１００  ・・・  ケーブル・配管類保護案内部材用取り付けブラケット
１１０  ・・・  保護案内側係止部
１１１  ・・・  抜け止め用係止爪
１２０  ・・・  機械フレーム側固定部  
１２１  ・・・  ネジ穴
１３０  ・・・  位置決め当接面
２００  ・・・  合成樹脂製ケーブル・配管類保護案内部材
２００ａ・・・  合成樹脂製ケーブル・配管類保護案内部材の一端
２００ｂ・・・  合成樹脂製ケーブル・配管類保護案内部材の他端
２１０  ・・・  帯状基部
２２０ａ・・・  左抱持部
２２０ｂ・・・  右抱持部
２２１  ・・・  側壁形成部分
２２２  ・・・  外周壁形成部分
２２３  ・・・  切り込み部分
Ｍ１  ・・・  固定フレーム
Ｍ２  ・・・  移動体
Ｍ３  ・・・  駆動モータの設置フレーム
Ｍ４  ・・・  ボールねじ駆動方式のアクチュエータ
Ｓ  ・・・  対向間隙
Ｃ  ・・・  ケーブル・配管類
ｔ  ・・・  帯状基部２１０の厚み分
Ｂ  ・・・  汎用ネジ
【図１】
0005491472.tif 000002
【図２】
0005491472.tif 000003
【図３】
0005491472.tif 000004
【図４】
0005491472.tif 000005
【図５】
0005491472.tif 000006
【図６】
0005491472.tif 000007
【図７】
0005491472.tif 000008
【図８】
0005491472.tif 000009
【図９】
0005491472.tif 000010
【図１０】
0005491472.tif 000011
【図１１】
0005491472.tif 000012